(57)【特許請求の範囲】
【請求項１】
ＩＤコード付きキーのイグニッションキーシリンダへの差込操作により、前記キー側のＩＤコードとエンジン制御部の格納ＩＤコードとを比較、照合した上でエンジンを始動させるようにした車両において、
前記ＩＤコード付きキーが差し込れるキー差込み部を有すると共に、当該キー側のＩＤコードを読み取るコードリード部を備え、かつ、この読み取ったＩＤコードとエンジンスタート信号を送信するエンジンスタータリモコンと、前記キー側のＩＤコードとエンジンスタート信号とを受信するエンジンスタータ制御ユニットからなり、当該エンジンスタータ制御ユニットからの前記キー側のＩＤコードを前記エンジン制御部の格納ＩＤコードとを比較、照合して、エンジンを始動させることを特徴とする車両用エンジン始動装置。
【請求項２】
ＩＤコード付きキーのイグニッションキーシリンダへの差込操作により、前記キー側のＩＤコードとエンジン制御部の格納ＩＤコードとを比較、照合した上でエンジンを始動させるようにした車両において、
エンジン始動の時刻を設定するための時刻設定部と、この設定時刻でエンジン始動させるためのタイマーエンジンスタータ本体と、前記ＩＤコード付きキーが差し込れるキー差込み部を有すると共に、当該キー側のＩＤコードを読み取るコードリード部を備え、かつ、この読み取ったＩＤコードとエンジンスタート信号を前記タイマーエンジンスタータ本体により送信するタイマーエンジンスタータ制御ユニットからなり、当該タイマーエンジンスタータ制御ユニットからの前記キー側のＩＤコードを前記エンジン制御部の格納ＩＤコードとを比較、照合して、エンジンを始動させることを特徴とする車両用エンジン始動装置。
【発明の詳細な説明】
【０００１】
【発明の属する技術分野】
本発明は、ＩＤコード付きキーにより操作される車両において、遠隔始動やタイマー始動させるための車両用エンジン始動装置に関するものである。
【０００２】
近年、車両のエンジンを始動させるにおいて、エンジンスタータリモコンを用いて遠隔地から始動させたり、或いは所定の設定時刻になったら自動的に始動させたりする装置が提案されている。
【０００３】
エンジンスタータリモコンによる遠隔始動の場合には、例えば冬場などの早朝において、使用者が搭乗する前に在宅のまま予め駐車場などの車両のエンジンを始動させて、暖気回転を行わせると同時に、車内温度を適度な暖かさにすることができるなどの利点が得られる。
一方、タイマー始動させる場合には、上記エンジンスタータリモコンによる遠隔始動が電波障害などの理由によって困難な場合、例えば車両の駐車場が電波送達範囲外にあるときや地形などの関係上電波が到達できない箇所にある場合、予め始動時刻を設定しておいて、その時刻なったら自動的に車両のエンジンを始動させて、上記遠隔始動の場合と同様、搭乗する前に暖気回転や最適な車内温度を確保することができる利点が得られる。
【０００４】
【発明が解決しようとする課題】
ところが、最近、盗難防止などの観点から、ＩＤコード付きのキーを用いる車両が提案され、この車両では、このＩＤコード付きキーをイグニッションキーシリンダへ差し込み、このとき、キーのＩＤコードを読み込み、このＩＤコードと車両のエンジン制御部の格納ＩＤコードとを比較、照合した上で、両者のコードが合致したときにのみ、エンジンを始動させるようにしてある。
したがって、このようなＩＤコード付きキーを用いる車両において、上記のようなエンジンスタータリモコンによる遠隔始動やタイマー始動を採用する場合には、これらの始動を行わせるための本来のエンジンスタート信号を送る他に、何らかの形で、所定のＩＤコードを送信する必要がある。
【０００５】
本発明は、このような本来のエンジンスタート信号の他に、所定のＩＤコードを送信するようにした車両用エンジン始動装置を提供せんとするものである。
【０００６】
【課題を解決するための手段】
請求項１記載の本発明は、ＩＤコード付きキーのイグニッションキーシリンダへの差込操作により、前記キー側のＩＤコードとエンジン制御部の格納ＩＤコードとを比較、照合した上でエンジンを始動させるようにした車両において、
前記ＩＤコード付きキーが差し込れるキー差込み部を有すると共に、当該キー側のＩＤコードを読み取るコードリード部を備え、かつ、この読み取ったＩＤコードとエンジンスタート信号を送信するエンジンスタータリモコンと、前記キー側のＩＤコードとエンジンスタート信号とを受信するエンジンスタータ制御ユニットからなり、当該エンジンスタータ制御ユニットからの前記キー側のＩＤコードを前記エンジン制御部の格納ＩＤコードとを比較、照合して、エンジンを始動させることを特徴とする車両用エンジン始動装置にある。
【０００７】
請求項２の本発明は、ＩＤコード付きキーのイグニッションキーシリンダへの差込操作により、前記キー側のＩＤコードとエンジン制御部の格納ＩＤコードとを比較、照合した上でエンジンを始動させるようにした車両において、
エンジン始動の時刻を設定するための時刻設定部と、この設定時刻でエンジン始動させるためのタイマーエンジンスタータ本体と、前記ＩＤコード付きキーが差し込れるキー差込み部を有すると共に、当該キー側のＩＤコードを読み取るコードリード部を備え、かつ、この読み取ったＩＤコードとエンジンスタート信号を前記タイマーエンジンスタータ本体により送信するタイマーエンジンスタータ制御ユニットからなり、当該タイマーエンジンスタータ制御ユニットからの前記キー側のＩＤコードを前記エンジン制御部の格納ＩＤコードとを比較、照合して、エンジンを始動させることを特徴とする車両用エンジン始動装置にある。
【０００８】
【発明の実施の形態】
図１は、本発明に係る車両用エンジン始動装置の一例を示したものである。
図中、１はＩＤコード記憶部１ａを有し、その差し込み操作によりＩＤコードが読み込まれるようにしたＩＤコード付きキー、２はイグニッションキーシリンダ、３はエンジン制御部、４はエンジン始動器、５は車両のエンジン、６はエンジンスタータリモコン、７はエンジンスタータ制御ユニットである。
【０００９】
上記エンジンスタータリモコン６は、エンジンスタータのためのリモコン本体部６１の他に、ＩＤコード付きキー１が差し込れるキー差込み部６２を有すると共に、キー１側のＩＤコードを読み取るコードリード部６３を備え、この読み取ったＩＤコードとエンジンスタート信号を例えば重畳させた形で、リモコン本体部６１からアンテナ６４を通じて送信させるようになっている。
【００１０】
上記エンジンスタータ制御ユニット７は、アンテナ７１を通じて上記エンジンスタータリモコン６からのＩＤコードとエンジンスタート信号を受信する部分で、これらの各信号を、上記エンジン制御部３に出力する。
このエンジン制御部３には、キー１側のＩＤコードに対応した正規のＩＤコードが格納ＩＤコードとして格納（記憶）されているため、これとキー１側のＩＤコードとを比較、照合した上で、両者が合致すると、正当な使用者（車両所有者）からのＩＤコードとして処理されて、エンジンスタート信号がエンジン始動器４に送られるため、エンジン５の始動が開始される。
つまり、ＩＤコード付きキー１が用いられる車両においても、ＩＤコード付きキー１をエンジンスタータリモコン６のキー差込み部６２に差し込んだ状態で、このエンジンスタータリモコン６を操作すれば、通常のエンジンスタータリモコンの場合と同様にして、遠隔始動が可能となる。
【００１１】
図２は、本発明に係る車両用エンジン始動装置の他の例を示したものである。図中、１はＩＤコード記憶部１ａを有し、その差し込み操作によりＩＤコードが読み込まれるようにしたＩＤコード付きキー、２はイグニッションキーシリンダ、３はエンジン制御部、４はエンジン始動器、５は車両のエンジン、８はタイマーエンジンスタータ制御ユニットである。
【００１２】
上記タイマーエンジンスタータ制御ユニット８は、時刻設定部８５とこの設定時刻でエンジン始動させるためのタイマーエンジンスタータ本体部８１の他に、ＩＤコード付きキー１が差し込れるキー差込み部８２を有すると共に、キー１側のＩＤコードを読み取るコードリード部８３を備え、この読み取ったＩＤコードと設定時刻に発せられるエンジンスタート信号を例えば重畳させた形で、上記エンジン制御部３に出力させるようになっている。
【００１３】
上記エンジン制御部３には、キー１側のＩＤコードに対応した正規のＩＤコードが格納ＩＤコードとして格納（記憶）されているため、これとキー１側のＩＤコードとを比較、照合した上で、両者が合致すると、正当な使用者（車両所有者）からのＩＤコードとして処理されて、エンジンスタート信号がエンジン始動器４に送られるため、エンジン５の始動が開始される。
つまり、ＩＤコード付きキー１が用いられる車両においても、ＩＤコード付きキー１をタイマーエンジンスタータ本体部８１のキー差込み部８２を差し込んだ状態で、時刻設定部８５によって、所定の時刻を設定すれば、通常のタイマーエンジンスタータの場合と同様にして、タイマー始動が可能となる。
【００１４】
なお、上記図１〜図２の装置において、ＩＤコード付きキー１（図中鎖線のもの）を直接イグニッションキーシリンダ２に差し込んで操作する場合には、イグニッションキーシリンダ２で読み込まれたＩＤコードがエンジン制御部３に出力され、ここで、格納ＩＤコードと比較、照合した上で、両者が合致すると、正当な使用者からのＩＤコードとして処理されるようになっている。
【００１５】
【発明の効果】
以上の説明から明らかなように、本発明に係る車両用エンジン始動装置によると、ＩＤコード付きキーのイグニッションキーシリンダへの差込操作により、そのキー側のＩＤコードとエンジン制御部の格納ＩＤコードとを比較、照合した上でエンジンを始動させるようにした最新の車両においても、簡単にエンジンスタータリモコンによる遠隔始動や設定時刻でのタイマー始動が可能となる。
しかも、基本的には、既提案のエンジンスタータリモコンやタイマーエンジンスタータ制御ユニット部分にキー差込み部やコードリード部などを付加するのみでよく、安価な提供が可能である。
【図面の簡単な説明】
【図１】本発明に係る車両用エンジン始動装置の一例を示した概略説明図である。
【図２】本発明に係る車両用エンジン始動装置の別の例を示した概略説明図である。
【符号の説明】
１                ＩＤコード付きキー
１ａ              ＩＤコード記憶部
２                イグニッションキーシリンダ
３                エンジン制御部
４                エンジン始動器
５                エンジン
６                エンジンスタータリモコン
６１              リモコン本体部
６２              キー差込み部
６３              コードリード部
７                エンジンスタータ制御ユニット
８                タイマーエンジンスタータ制御ユニット
８１              タイマーエンジンスタータ本体部
８２              キー差込み部
８３              コードリード部
８５              時刻設定部
【図１】
0003883082.tif 000002
【図２】
0003883082.tif 000003